(57)【要約】【課題】被検出部材の取付位置の基準となるガイドレールに簡単に取り付け、取り外しができ、一人で複数のプレートの位置を容易に確認できるエレベータの被検出部材の位置決め調整治具を提供する。【解決手段】昇降路に設けられたガイドレール１に対し上下方向の任意の位置に着脱可能な取付座２と、この取付座に対してガイドレール装着時に水平方向に延在するように設けられ、エレベータの乗りかご位置の検出に用いられる複数の被検出部材４の水平方向の各基準位置を示す複数のマーク５ａを有する第１のゲージ５と、上記取付座に対してこの第１のゲージに直交する方向に設けられ上記被検出部材の該第１のゲージに直交する方向の基準位置を示す第２のゲージ６とを備えるようにした。【選択図】図１
2008179459.tif 000002
【特許請求の範囲】
【請求項１】
昇降路に設置されたガイドレールに対し上下方向の任意の位置に着脱可能に形成された取付座と、この取付座に対して上記ガイドレールに装着したときに水平方向に延在するように設けられ、エレベータの乗りかごの検出に用いられる複数の被検出部材の水平方向の各基準位置を示す複数のマークを有する第１のゲージと、この第１のゲージに直交する方向に設けられ上記被検出部材の該第１のゲージに直交する方向の基準位置を示す第２のゲージとを備えたことを特徴とするエレベータの被検出部材の位置決め調整治具。
【請求項２】
上記取付座は、断面略コ字状に形成され該コ字状の内側対向面の一方が上記ガイドレールの頭部の一側面に当接される架台と、この架台のコ字状の内側対向面の他方を形成する辺に設けられたねじ穴に螺合された固定用ボルトとを備え、上記固定用ボルトを上記ガイドレールの頭部の他側面に進退させることで上記ガイドレールに着脱するものであることを特徴とする請求項１に記載のエレベータの被検出部材の位置決め調整治具。
【請求項３】
上記取付座に固定された支持梁を備え、上記第１のゲージはこの支持梁に水平方向に位置調節可能に固定されていることを特徴とする請求項１または請求項２に記載のエレベータの被検出部材の位置決め調整治具。
【請求項４】
上記固定用ボルトは、上記ガイドレールに吸着し得るマグネットを用いたものであることを特徴とする請求項２または請求項３に記載のエレベータの被検出部材の位置決め調整治具。
【請求項５】
上記第１のゲージは、上記取付座に対して上下に離間して複数設けられていることを特徴とする請求項１ないし請求項４の何れかに記載のエレベータの被検出部材の位置決め調整治具。
【発明の詳細な説明】
【技術分野】
【０００１】
この発明はエレベータの速度制御や着床制御のために乗りかご位置を検知する目的で昇降路に設置される位置検出用プレートなどの被検出部材の位置決め調整治具に関する。
【背景技術】
【０００２】
エレベータにおいて、着床位置や速度パターンを制御するにあたって正確な乗りかご位置を検知するため、昇降路に位置検出用プレートなどの被検出部材が取り付けられる。被検出部材は正確な位置検出のため、乗りかご側の検出装置との隙間及び、昇降路の上下方向に点在して取り付けられた被検出部材同士の水平方向の位置を基準に対して高精度に取り付ける必要がある。しかし特に高速・高揚程のエレベータでは乗り心地の良さや安全確保のために速度パターンが複雑となって必用な被検出部材の個数は増大し、しかも上下位置が変化して、その取付に多くの時間を要している。さらに被検出部材は建物の寸法や構造に左右されないよう、ガイドレールに取り付けた取付腕に取り付けられることが多いが、ガイドレールや取付腕の加工精度により取付腕、被検出部材それぞれの位置を調整しなくてはならず手間がかかっている。
【０００３】
従来のエレベータの保守の際に用いられる位置決め調整治具として、かごに搭載されるインダクタと、このインダクタに対向するように昇降路に設けられるプレートとの隙間寸法を点検するためのエレベータの着床装置用点検治具であって、上記インダクタ側に着脱可能に取り付けられる基台と、この基台に回動自在に連結されている基準部材と、上記プレートの厚さ方向へ位置調整可能に上記基準部材に連結されているとともに、上記プレートの幅方向への上記プレートと上記インダクタとの隙間寸法を測定するための目盛りが設けられており、上記基準部材とともに上記基台に対して回動可能な状態で上記インダクタ上に設けられる縦スケールと、上記プレートの幅方向へ位置調整可能に上記縦スケールに連結されているとともに、上記プレートの厚さ方向への上記プレートと上記インダクタとの隙間寸法を測定するための目盛りが設けられている横スケールとを備えたものがある（例えば特許文献１参照。）。
【０００４】
【特許文献１】特開平１０−１０９８４７号公報（第１頁、図１）
【発明の開示】
【発明が解決しようとする課題】
【０００５】
上記特許文献１のような位置決め調整治具では、エレベータの据付時においては乗りかごを組立てる前にプレートを取り付ける場合があり、また多数の検出器に全て測定器を取り付ける作業の場合に効率が悪いという課題があった。また、プレートの位置合わせのために、基準となるガイドレールの側面からスケールで測定する手法もあるが、複数のプレートを全てスケールで測るのは時間がかかり、ガイドレールから遠い側のプレートを測定するには１人ではできない場合もある。また、ガイドレールの機械加工面に当てて位置をチェックするゲージプレートが使用されるが、この治具の場合には治具を持つ人間とプレートの位置を調整する人間の２人が必要であり、また治具を水平に保たないとずれが生じる問題があった。
【０００６】
この発明は上記のような従来技術の課題を解消するためになされたもので、被検出部材の取付位置の基準となるガイドレールに簡単に着脱（取り付け、取り外し）ができ、一人で複数の被検出部材の位置決め調整が容易にできるエレベータの被検出部材の位置決め調整治具を提供することを目的としている。
【課題を解決するための手段】
【０００７】
この発明によるエレベータの被検出部材の位置決め調整治具は、昇降路に設置されたガイドレールに対し上下方向の任意の位置に着脱可能に形成された取付座と、この取付座に対して上記ガイドレールに装着したときに水平方向に延在するように設けられ、エレベータの乗りかごの検出に用いられる複数の被検出部材の水平方向の各基準位置を示す複数のマークを有する第１のゲージと、この第１のゲージに直交する方向に設けられ上記被検出部材の該第１のゲージに直交する方向の基準位置を示す第２のゲージとを備えたものである。
【発明の効果】
【０００８】
この発明においては、ガイドレールの任意の位置に着脱可能にした取付座に複数のマークを有する第１のゲージを水平方向に設けると共に、第１のゲージに直交する方向に第２のゲージを備えるようにしたことにより、ガイドレールに取り付けるだけで複数の被検出部材のそれぞれの水平方向の基準位置が示されるので、複数の被検出部材の水平方向の基準取付位置が一目で分かる。また、ガイドレールへの装着によって第１のゲージ及び第２のゲージが保持されるので、被検出部材の取付時、及び取付後の保守点検時の何れの場合においても被検出部材の調整作業を１人でも容易に行なうことができる。
【発明を実施するための最良の形態】
【０００９】
実施の形態１．
図１〜図３はこの発明の実施の形態１に係るエレベータの被検出部材の位置決め調整治具を説明する図であり、図１は位置決め調整治具をガイドレールに固定した状態を示す斜視図、図２は図１のガイドレールに固定した状態の平面図、図３は図１のガイドレールに固定した状態の正面図である。図において、位置決め調整治具は、図示省略しているエレベータの昇降路に設置されたガイドレール１の頭部１１に着脱可能な取付座２と、この取付座２に対して装着時に水平方向を向くように取り付けられた断面Ｌ字状の支持梁３と、この支持梁３に位置調整可能に水平に取り付けられ、図示省略しているエレベータの乗りかご位置の検出に用いられる複数の被検出部材４の水平方向の各基準位置を示す複数のマーク５ａを有する第１のゲージ５と、上記取付座２に対してこの第１のゲージ５に直交する方向に水平に設けられ上記被検出部材４の該第１のゲージ５に直交する方向の基準位置を示す第２のゲージ６を用いて構成されている。
【００１０】
なお、上記複数の被検出部材（検出プレート）４はこの例では断面Ｌ字状の形材からなり、ガイドレール１の所定位置に締結ボルト７１で水平方向に延在するように固定された取付腕７に、水平方向に所定間隔でそれぞれボルト、ナットなどの締結具により固定される。この例では上下方向の長さが同一のもの、及び異なるもの合わせて８個取り付けられている。また、上記取付座２は、断面略コ字状ないしは凹字状に形成され、該コ字状の内側対向面の一方がガイドレール１の頭部１１の一側面１１ａに当接される架台２１と、この架台２１のコ字状の内側対向面の他方を形成する辺に設けられたねじ穴に螺合されたジャッキボルトからなる固定用ボルト２２と、固定用ボルト２２の上記頭部１１の他側面１１ｂ側の先端部に保持された該他側面１１ｂを保護するための押さえ金２３と、架台２１に固定された把手２４を備えている。
【００１１】
そして、上記固定用ボルト２２のつまみ２２ａを回して上記ガイドレール１の頭部１１の他側面１１ｂを押さえ金２３を介して締め付け、あるいは緩めるように進退させることで上記ガイドレール１の上下の任意の位置に着脱される。上記第１のゲージ５はこの例では断面Ｌ字状の軽金属材からなり、ガイドレール１の頭部１１の一側面１１ａを基準に、予め設けられた複数のマーク５ａがそれぞれ所定の基準位置を示すように支持梁３の側面に止めねじ８１で水平方向に位置調整可能に固定されている。なお、マーク５ａはこの例では第１のゲージ５本体に設けられた被検出部材４を構成する形材の板幅と同じ寸法の切り欠きからなる。
【００１２】
上記第２のゲージ６はこの例では長方形の板状の軽金属材からなり、長穴６ａに挿通された止めねじ８２により取付腕７の取付面７ａと第１のゲージ５の基準面５ｂとの間隔Ｌが所定値になるように、第１のゲージ５の長手方向両端部に各１個ずつ合計２個が第１のゲージ５を介して取付座２に対して固定されている。なお、ガイドレール１は昇降路に鉛直に設置され、基準とする頭部１１の一側面１１ａと、他側面１１ｂは互いに平行に形成されているものとする。また、各図を通じて同一符号は同一または相当部分を示すものとする。
【００１３】
次に、上記のように構成された実施の形態１の動作について説明する。被検出部材４を据付、または調整する場合、予め被検出部材４の正規の取付位置に対応して、位置決め調整治具の第１のゲージ５のガイドレール１（例えば頭部１１の一側面１１ａ）からの距離を設定し、第１のゲージ５を止めねじ８１で支持梁３に固定する。次に第１のゲージ５を基準に、取付腕７との間隔Ｌがガイドレール１に対する取付腕７の正規の取付位置に対応するように第２のゲージ６の直交方向への突出長さを設定し、止めねじ８２で第２のゲージ６を第１のゲージ５に固定する。
【００１４】
次に、作業者は昇降路内に設置された足場またはエレベータの乗りかご（何れも図示省略）に乗り、被検出部材４を取り付けようとする所定の高さに位置決め調整治具の架台２１の凹部をガイドレール１の頭部１１に嵌める如く装着して上下方向の位置を定め、取付座２に具備された固定用ボルト２２をガイドレール１の他側面１１ｂに締め付けることで位置決め調整治具をガイドレール１に固定する。この状態で、第１のゲージ５はガイドレール１に対して直角かつ水平に取り付けられる。
【００１５】
次に、被検出部材４を設置するには、まず、取付腕７とガイドレール１の底面との間に必要に応じて高さ調整用の図示省略しているハサミ金を挿入するなどして、左右２つの第２のゲージ６によって設定された第１のゲージ５の基準面５ｂと取付腕７との距離が間隔Ｌとなるように取付腕７の位置を調整した後、該取付腕７をガイドレール１に締結ボルト７１で固定する。次に、第１のゲージ５に設けられた被検出部材４の取付位置を示す切り欠きからなるマーク５ａに端面を合わせるように被検出部材４を取付腕７に取り付ける。なお、必要に応じて第１のゲージ５の基準面５ｂと被検出部材４の先端との距離が一定になるように被検出部材４の出入りを調整する。同様にして他の被検出部材４も順次取付腕７に取り付け、さらに他の階床についても同様にして取り付ける。
【００１６】
なお、取付腕７及び被検出部材４の上下方向の取付位置の調整方法は、階床レベルに対応して設定された基準に基づいて従来技術をそのまま用いることができるので、説明を省略する。また、保守点検時に既に設置された被検出部材４の点検・調整を行なう場合も基本的には上記設置時と同様であり、上記と同様に組み立てた位置決め調整治具をガイドレール１の所定位置に取り付け、第１のゲージ５、及び第２のゲージ６を用いて取付腕７及び被検出部材４の位置を点検し、ずれが生じていた場合など必要に応じて調整する。
【００１７】
上記のように、実施の形態１によれば、任意の位置に着脱可能にした取付座２に複数のマーク５ａを有する第１のゲージ５を水平方向に設けると共に、第１のゲージ５に直交する方向に第２のゲージ６を備えた位置決め調整治具をガイドレール１に取り付けるだけで、第１のゲージ５及び第２のゲージ６が水平に保持され、複数の被検出部材４の水平方向の基準位置、及び取付腕７の基準位置が示されるので、作業者が手で支えたりする必要がなく、被検出部材４及び取付腕７を容易に基準の正しい位置に据え付け、あるいは調整することができる。
【００１８】
また、この位置決め調整治具は被検出部材４の位置を示すゲージとしての役割だけを備えれば良いので、支持梁３、第１及び第２のゲージ５、６が撓まない程度の剛性であればよく、作業者１人でも持ち運びや取り付けが可能なように例えばアルミニウムやその合金材、チタニウムやその合金材などの軽金属を用いることで軽量化することも容易である。また、第１のゲージ５、第２のゲージ６は何れも取付座２に対して容易に着脱可能であり、持ち運びや破損時の交換も容易である。さらに、取付座２と支持梁３、支持梁３と第１のゲージ５、第１のゲージ５と第２のゲージ６は止めねじ８１、８２で固定されているので、分解、組立が容易で可搬性にも優れている。
【００１９】
実施の形態２．
図４はこの発明の実施の形態２に係るエレベータの被検出部材の位置決め調整治具を説明する図であり、（ａ）はガイドレールに対する取付部を示す要部断面図、（ｂ）は取付部の押さえ金を示す斜視図である。図において、固定用ボルト２２の先端部側（図４（ａ）の左側）にはリング状の枠部材２３Ａが該固定用ボルト２２に対して回動可能に保持され、その枠部材２３Ａの中心部に固定用ボルト２２の先端部に回動可能に係着されたマグネット板２３Ｂが枠部材２３Ａに対して軸方向（図４（ａ）の左右方向）に移動可能に取り付けられている。なお、その他の構成は上記実施の形態１と同様であるので説明を省略する。
【００２０】
上記のように構成された実施の形態２においては、枠部材２３Ａとマグネット板２３Ｂとで押さえ金の機能も構成されており、位置決め調整治具をガイドレール１に装着するときに、枠部材２３Ａをガイドレール１の他側面１１ｂに当てておいて、固定用ボルト２２のつまみ２２ａを回すとマグネット板２３Ｂが押し出されてガイドレール１に吸着されることで、装着が容易でワンタッチで取り付けできる。その他、実施の形態１と同様の効果が得られることは言うまでもない。
【００２１】
実施の形態３．
図５はこの発明の実施の形態３に係るエレベータの被検出部材の位置決め調整治具を示す斜視図である。この実施の形態３は第１のゲージを取付座の上下に離間されて平行に２段設けて、被検出部材の傾斜も調整できるようにしたものである。即ち、図において、上下方向に実施の形態１よりも長く形成された取付座２Ａの架台２１Ａの上部には、上部支持梁３１と、上部側第１のゲージ５１と、上部側第２のゲージ６１が設けられ、架台２１Ａの下部には、下部支持梁３２と、下部側第１のゲージ５２と、下部側第２のゲージ６２が設けられ、上部側第１のゲージ５１と下部側第１のゲージ５２の架台２１Ａとは反対側の端部は繋ぎ枠９によって相互に連結されている。その他の構成は上記実施の形態１と同様であるので説明を省略する。
【００２２】
上記のように構成された実施の形態２においては、上部側第１のゲージ６１と下部側第１のゲージ部材６２が取付座２Ａの上下部に離間させて２段に平行に設けられていることにより、上記実施の形態１と同様の作用効果が得られることに加えて、被検出部材４の傾きも同時に点検または調整することができるという顕著な効果が得られる。
【００２３】
なお、上記実施の形態１〜３では、第１のゲージ５（５１、５２）のマーク５ａを切り欠きによって構成したが、必ずしも切り欠きに限定されるものではなく、例えば刻印、塗料、プラスチックなど、任意の印を用いることができる。また、基準位置をガイドレール１の頭部１１の一側面１１ａとしたが、これに限定されるものではない。さらに、第１のゲージ５（５１、５２）を支持梁３（３１、３２）を介して取付座２（２Ａ）に取り付けたが、例えば支持梁３（３１、３２）を取付座２（２Ａ）に一体化し、第１のゲージ５（５１、５２）を取付座２（２Ａ）に直接取り付けるようにしても差し支えない。
【００２４】
さらにまた、取付座２（２Ａ）をガイドレール１に固定する手段として固定用ボルト２２を用いた場合について説明したが、特にボルトに限定されるものではなく、例えばマグネットの吸着力のみで取り付けるもの、ばねアクションを利用して取り付けるもの、あるいは楔の摩擦力を利用して係止するものなど、公知の他の各種固定手段を利用することも差し支えない。また、各部材の形状、材質、その他、この発明の範囲内で種々の変形や変更が可能であることは言うまでもない。
【図面の簡単な説明】
【００２５】
【図１】この発明の実施の形態１に係るエレベータの被検出部材の位置決め調整治具をガイドレールに固定した状態を示す斜視図。
【図２】図１のガイドレールに固定した状態の平面図。
【図３】図１のガイドレールに固定した状態の正面図。
【図４】この発明の実施の形態２に係るエレベータの被検出部材の位置決め調整治具を説明する図であり、（ａ）はガイドレールに対する取付部を示す要部断面図、（ｂ）は取付部の押さえ金を示す斜視図。
【図５】この発明の実施の形態３に係るエレベータの被検出部材の位置決め調整治具を示す斜視図。
【符号の説明】
【００２６】
１  ガイドレール、  １１  頭部、  １１ａ  一側面、  １１ｂ  他側面、  ２、２Ａ  取付座、  ２１、２１Ａ  架台、  ２２  固定用ボルト、  ２２ａ  つまみ、  ２３  押さえ金、  ２３Ａ  枠部材、  ２３Ｂ  マグネット板、  ２４  把手、  ３  支持梁、  ３１  上部支持梁、  ３２  下部支持梁、  ４  被検出部材、  ５  第１のゲージ、  ５ａ  マーク、  ５ｂ  基準面、  ５１  上部側第１のゲージ、  ５２  下部側第１のゲージ、  ６  第２のゲージ、  ６ａ  長穴、  ６１  上部側第２のゲージ、  ６２  下部側第２のゲージ、  ７  取付腕、  ７ａ  取付面、  ７１  締結ボルト、  ８１  止めねじ、  ８２  止めねじ、  ９  繋ぎ枠。
【図１】
2008179459.tif 000003
【図２】
2008179459.tif 000004
【図３】
2008179459.tif 000005
【図４】
2008179459.tif 000006
【図５】
2008179459.tif 000007